(57)【要約】【目的】リモコン等のワイヤレス入力装置から送られた信号が、表示装置側で正常に受信されたのかが容易に判断でき、さらには受信した信号がデータとして有効なものか無効なものかが判断できる表示装置を提供する。【構成】表示部に配列した複数の発光素子を選択的に発光させることで文字等を発光表示する表示装置において、表示装置側に複数種類の報知音を発生するブザーを備え、ワイヤレス入力装置から受信した信号が表示装置の設定データとして有効であるとき第１の受信確認音をブザーより発生し、受信した信号が表示装置の設定データとして無効であるとき第２の受信確認音をブザーより発生するようにした。また、表示素子が具備する発光素子の少なくとも１つを受信確認ランプとして構成し、ワイヤレス入力装置から受信した信号に応じて点灯するようにした。【選択図】　図１
2004029589.tif 000002
【特許請求の範囲】
【請求項１】
表示部に配列した複数の発光素子を選択的に発光させることで文字等を発光表示する表示装置において、
表示装置に関する各種設定操作を行うリモコン等のワイヤレス入力装置と、
ワイヤレス入力装置の操作に応じて送信される信号を表示装置側で受信する受信部と、
ワイヤレス入力装置からの信号を受ける表示装置側に設けられ電気的に報知音を発生する音声出力部とを備え、
ワイヤレス入力装置から送信された操作信号を表示装置で受信したとき音声出力部による受信確認音を発生することを特徴とする表示装置。
【請求項２】
表示部に配列した複数の発光素子を選択的に発光させることで文字等を発光表示する表示装置において、
表示装置に関する各種設定操作を行うリモコン等のワイヤレス入力装置と、
ワイヤレス入力装置の操作に応じて送信される信号を表示装置側で受信する受信部と、
ワイヤレス入力装置からの信号を受ける表示装置側に設けられ電気的に複数種類の報知音を発生する音声出力部と、
前記受信部において受信した信号から表示装置に関する設定データを読み出し、読み出した設定データを登録すると共に登録内容に応じて表示装置の動作を制御する制御部とを備え、
ワイヤレス入力装置から受信した信号が表示装置の設定データとして有効であるとき第１の受信確認音を音声出力部より発生し、受信した信号が表示装置の設定データとして無効であるとき第２の受信確認音を音声出力部より発生することを特徴とする表示装置。
【請求項３】
請求項１記載の表示装置において、ワイヤレス入力装置から送信された操作信号を表示装置で受信したとき、受信確認音を発生すると共に、表示装置が具備する発光素子の少なくとも１つを点灯することを特徴とする表示装置。
【請求項４】
請求項２記載の表示装置において、ワイヤレス入力装置から受信した信号が表示装置の設定データとして有効であるとき、第１の受信確認音を音声出力部より発生すると共に表示装置が具備する発光素子の少なくとも１つを第１の発光態様で点灯し、受信した信号が表示装置の設定データとして無効であるとき、第２の受信確認音を音声出力部より発生すると共に表示装置が具備する発光素子の少なくとも１つを第２の発光態様で点灯することを特徴とする表示装置。
【請求項５】
表示部に配列した複数の発光素子を選択的に発光させることで文字等を発光表示する表示装置において、
表示装置に関する各種設定操作を行うリモコン等のワイヤレス入力装置と、
ワイヤレス入力装置の操作に応じて送信される信号を表示装置側で受信する受信部とを備え、
ワイヤレス入力装置から送信された操作信号を表示装置で受信したとき、表示装置が具備する発光素子の少なくとも１つを点灯することを特徴とする表示装置。
【請求項６】
表示部に配列した複数の発光素子を選択的に発光させることで文字等を発光表示する表示装置において、
表示装置に関する各種設定操作を行うリモコン等のワイヤレス入力装置と、
ワイヤレス入力装置の操作に応じて送信される信号を表示装置側で受信する受信部と、
前記受信部において受信した信号から表示装置に関する設定データを読み出し、読み出した設定データを登録すると共に登録内容に応じて表示装置の動作を制御する制御部とを備え、
ワイヤレス入力装置から受信した信号が表示装置の設定データとして有効であるとき、表示装置が具備する発光素子の少なくとも１つを第１の発光態様で点灯し、受信した信号が表示装置の設定データとして無効であるとき、表示装置が具備する発光素子の少なくとも１つを第２の発光態様で点灯することを特徴とする表示装置。
【発明の詳細な説明】
【０００１】
【産業上の利用分野】
本発明は、複数の発光素子をプリント基板上に配し、各発光素子を発光させることで文字、図形、記号、模様等を表示する装置に関する。
【０００２】
【従来の技術】
ＬＥＤ等の発光素子をプリント基板上に配置し、発光素子を点滅駆動することで文字・文章・記号等の表示パターンを発光表示する装置が知られている。この種のいわゆる電光表示装置は主に店先や往来などに設置され、営業案内や集客のためのキャッチフレーズを発光表示するのに用いられている。文字や絵記号などを組み合わせてなる表示コンテンツを予め複数記憶しており、表示スケジュールに従って表示するのである。
【０００３】
表示コンテンツの作成や表示スケジュールの指定は入力装置によって行われ、幾種類かの入力装置から用途に応じて使い分けることができる。最も一般的な使い方は、専用のアプリケーションソフトをインストールしたパソコンにより、イメージデータを多く含むアニメーションのコンテンツやテキストデータからなる文章のコンテンツを作成して表示装置に転送し、作成が容易なコンテンツや表示スケジュールの変更等は表示装置に向かってリモコンで入力するといったものである。表示装置を設置する際に業者が作成したコンテンツを装置に登録し、装置を購入したオーナーは以降リモコンで各種操作を行うのである。
【０００４】
【発明が解決しようとする課題】
リモコンを入力装置として用いた場合、まず第１に低コストであること、第２に信号線で接続する必要がなく手軽に入力操作が行えるといった利点があるが、一方で問題点も抱えている。特に屋外に設置された表示装置を操作する場合に注意しなければならないのであるが、リモコンとして一般的な赤外線リモコンは外乱光の影響を非常に受けやすいのである。表示装置のリモコン受光部に朝日や西日といった強い光が射し込んだ場合はほぼ完全に操作不能となり、強い光の影響を直接受けた場合だけでなく、日中屋外に置かれた表示装置を操作しようとした場合も反応が安定しないのである。このため、リモコン操作は必ず日光のあたらない状態で行うよう注意を促しているのであるが、実際は、表示装置が屋外に固定的に設置されているなどして日光を完全に遮ることが困難であったり、また日陰であっても突発的に飛び込む外乱光があったりして、リモコンの操作に適した環境を日中に得ることは決して簡単なことではない。
【０００５】
つまりは、日中はリモコンの反応が低下しやすい状況であると言え、このような状況下において敢えてリモコンを操作しなければならないケースでは、次のような問題点が発生しやすかった。例えば、リモコンを操作したにもかかわらず表示装置の表示画面に反応がなかった場合、その原因が外乱光による受信異常なのか、あるいはリモコンのキー操作そのものが誤りであり無効なものであったのか区別できないという状況である。受信異常が原因であれば、表示装置に対するリモコンの向きや距離を調整するなどしてキー操作を再度行えば正常な状態に復帰するのであるが、リモコンのキー操作が無効であった場合は、操作ミスに気付くまでリモコンの異常であると思いこんでキー操作を繰り返すことになり、勘違いから無用な手間をかけることになったり、中にはリモコンが不良品であるといったクレームにつながることもあった。
【０００６】
本発明は以上のような問題点に対処しなされたもので、リモコン等のワイヤレス入力装置から送られた信号が、表示装置側で正常に受信されたのかが容易に判断でき、さらには受信した信号がデータとして有効なものか無効なものかが判断できる表示装置を提供することを課題としている。
【０００７】
【課題を解決するための手段】
（１）このような問題点を解決するため、本発明は、表示部に配列した複数の発光素子を選択的に発光させることで文字等を発光表示する表示装置において、表示装置に関する各種設定操作を行うリモコン等のワイヤレス入力装置と、ワイヤレス入力装置の操作に応じて送信される信号を表示装置側で受信する受信部と、ワイヤレス入力装置からの信号を受ける表示装置側に設けられ電気的に報知音を発生する音声出力部とを備え、ワイヤレス入力装置から送信された操作信号を表示装置で受信したとき音声出力部による受信確認音を発生することを特徴とする表示装置を提案する。
【０００８】
（２）また、表示部に配列した複数の発光素子を選択的に発光させることで文字等を発光表示する表示装置において、表示装置に関する各種設定操作を行うリモコン等のワイヤレス入力装置と、ワイヤレス入力装置の操作に応じて送信される信号を表示装置側で受信する受信部と、ワイヤレス入力装置からの信号を受ける表示装置側に設けられ電気的に複数種類の報知音を発生する音声出力部と、前記受信部において受信した信号から表示装置に関する設定データを読み出し、読み出した設定データを登録すると共に登録内容に応じて表示装置の動作を制御する制御部とを備え、ワイヤレス入力装置から受信した信号が表示装置の設定データとして有効であるとき第１の受信確認音を音声出力部より発生し、受信した信号が表示装置の設定データとして無効であるとき第２の受信確認音を音声出力部より発生することを特徴とする表示装置を提案する。
【０００９】
（３）なお、上記（１）提案の表示装置において、ワイヤレス入力装置から送信された操作信号を表示装置で受信したとき、受信確認音を発生すると共に、表示装置が具備する発光素子の少なくとも１つを点灯することが望ましい。
【００１０】
（４）また、上記（２）提案の表示装置において、ワイヤレス入力装置から受信した信号が表示装置の設定データとして有効であるとき、第１の受信確認音を音声出力部より発生すると共に表示装置が具備する発光素子の少なくとも１つを第１の発光態様で点灯し、受信した信号が表示装置の設定データとして無効であるとき、第２の受信確認音を音声出力部より発生すると共に表示装置が具備する発光素子の少なくとも１つを第２の発光態様で点灯することが望ましい。
【００１１】
（５）また、表示部に配列した複数の発光素子を選択的に発光させることで文字等を発光表示する表示装置において、表示装置に関する各種設定操作を行うリモコン等のワイヤレス入力装置と、ワイヤレス入力装置の操作に応じて送信される信号を表示装置側で受信する受信部とを備え、ワイヤレス入力装置から送信された操作信号を表示装置で受信したとき、表示装置が具備する発光素子の少なくとも１つを点灯することを特徴とする表示装置を提案する。
【００１２】
（６）また、表示部に配列した複数の発光素子を選択的に発光させることで文字等を発光表示する表示装置において、表示装置に関する各種設定操作を行うリモコン等のワイヤレス入力装置と、ワイヤレス入力装置の操作に応じて送信される信号を表示装置側で受信する受信部と、前記受信部において受信した信号から表示装置に関する設定データを読み出し、読み出した設定データを登録すると共に登録内容に応じて表示装置の動作を制御する制御部とを備え、ワイヤレス入力装置から受信した信号が表示装置の設定データとして有効であるとき、表示装置が具備する発光素子の少なくとも１つを第１の発光態様で点灯し、受信した信号が表示装置の設定データとして無効であるとき、表示装置が具備する発光素子の少なくとも１つを第２の発光態様で点灯することを特徴とする表示装置を提案する。
【００１３】
【作用】
（１）の提案によれば、表示装置に向かってリモコン等のワイヤレス入力装置で各種設定操作を行ったとき、リモコンから送られた操作信号が表示装置側で受信されると、受信したことを示す受信確認音を発生する。この受信確認音により、リモコン側の操作が表示装置側に伝達されているかを確認することができる。
【００１４】
（２）の提案によれば、表示装置に向かってリモコンで各種設定操作を行ったとき、リモコン操作に応じて表示装置側で受信した信号が表示装置に対する設定データとして有効であるとき第１の受信確認音を発生し、無効であるとき第２の受信確認音を発生する。これにより、まず受信確認音の有無でリモコン操作に対して表示器側が反応しているかを確認することができる。また、第１の受信確認音と第２の受信確認音とを容易に判別可能な音質に設定することにより、リモコン操作に対する反応は良好は良好であるが操作が誤り（無効）であったことを知らせることができる。
【００１５】
（３）（４）の提案によれば、リモコンから送られた操作信号が表示装置側で受信されると、受信確認音（第１の受信確認音、第２の受信確認音）を発生すると共に、表示部に配列する発光素子あるいはインジケーターランプの類として設けられた発光素子の少なくとも１つを点灯（第１の発光態様あるいは第２の発光態様で）する。これにより、リモコン操作に対する表示装置の反応を聴覚だけでなく視覚でも知らせることができ、確認の効果をより高めることができる。
【００１６】
（５）（６）の提案によれば、リモコンから送られた操作信号が表示装置側で受信されると、表示部に配列する発光素子あるいはインジケーターランプの類として設けられた発光素子の少なくとも１つを点灯（第１の発光態様あるいは第２の発光態様で）する。リモコン操作に対する表示装置の反応を発光で知らせるので、高い位置に設置した場合や、周囲が騒々しい場所に設置した場合でも確実に伝えることができる。
【００１７】
【実施例】
以下、図面を基に、本発明の実施例について説明する。図１は本発明実施例に関わる表示装置の構成を示すブロック図である。１は表示部で、プリント基板上に複数のＬＥＤをドットマトリクス状に配列して構成する。この表示部１には複数の文字を表示することが可能であり、本実施例では、１６×１６ドットのマトリクスで表される全角サイズの文字が横方向に３文字、縦方向に２文字、合計６文字表示可能なように４８×３２ドットでマトリクスを構成している。２は表示駆動部であり、シフトレジスタ回路およびトランジスタアレイ回路等からなり、後述する制御部より表示制御データを受けて表示部１に配列したＬＥＤをダイナミック点灯駆動し、マトリクス上に文字・図形・記号等を発光表示する。
【００１８】
３は制御部たるＣＰＵで、メモリ４で記憶するプログラムに従い表示処理手順をこなす。メモリ４は、表示装置全体の動きに関する動作プログラムが記憶されたＲＯＭ４ａと、コードに置き換えられた文字・絵記号（キャラクタ）がドットパターンで記憶されるフォントＲＯＭ４ｂと、表示部１に表示する表示コンテンツが複数記憶される表示コンテンツ記憶部４ｃと、表示コンテンツの表示タイミングを規定する表示スケジュールデータと表示装置に関する各種データとを記憶するデータ記憶部４ｄとからなっている。
【００１９】
表示コンテンツ記憶部４ｃに記憶される１つ１つの表示コンテンツは、単独あるいは一連で表示させる文字・絵記号（以降キャラクタと表記する）・単語・文章で構成されており、識別コードが付与されてこの識別コードと対応付けて記憶される。例えば、表示部１の表示面上段に「営業中」を、下段に「いらっしゃいませ」を常に同時に、あるいは常に連続して表示させたい場合には、「営業中」と「いらっしゃいませ」をセットにして１つの識別コードが付与され、「営業中」と「いらっしゃいませ」を別々のタイミングで表示したい場合には、それぞれに識別コードを付与するようにして表示コンテンツ記憶部へ記憶させる。そして各表示コンテンツには、そのコンテンツをどのような動作で表示するのかを与える表示モード情報が付与される。表示モードには左右上下へのスクロール、反転表示、スピン表示、カーテンスクロールといった公知の表示動作が複数用意されており、表示コンテンツを作成する際に表示する内容に合わせて複数のモードを設定することができる。
【００２０】
上記のような表示コンテンツを表示するには、コンテンツに表示スケジュールデータを与える必要がある。最も簡単にスケジュールデータを与えるには、表示コンテンツの識別コードを指定して表示させたい順番にデータ記憶部４ｄへ記憶させればよい。これにより、希望する順番で選択したコンテンツを連続して表示させることができる。また、選択した表示コンテンツを指定する日付もしくは時刻になると自動的に表示させるよう設定することもできる。この場合には、その表示する日付・時刻を表示スケジュールデータとして付与し記憶させるようにする。
【００２１】
ところで、データ記憶部４ｄには、表示コンテンツのスケジュールデータの他に表示装置に関する各種データが記憶されている。各種データとは、１日の中で表示装置の稼働時間帯を規定する営業時間の設定、表示装置を終日稼働させない日を規定する休日の設定、表示コンテンツを発光表示する際の発光輝度の設定、後述するリモコンからの入力操作に応じて受信確認音や光を発生させるか否かの設定などに関するデータである。営業時間の設定については任意の時間帯を指定することが可能であり、休日の設定については同月内で第１週から第５週までの曜日を指定、受信確認音や受信確認ランプの設定についてはオン／オフを指定することが可能である。
【００２２】
５はＶＲＡＭで、メモリ４から読み出した表示コンテンツを記憶領域にビット情報として展開し表示駆動部２にＬＥＤ駆動信号として出力したり、表示部１にマトリクス配列するＬＥＤの一部をインジケーターランプ１ａとして発光させるための駆動信号を出力する。６はリアルタイムクロックＩＣで、ＣＰＵ３から任意のタイミングで要求を受け、現在時刻と年・日付・曜日を出力する。７はワイヤレス入力装置たる赤外線リモコンで、表示部１の表示画面上に設けられた受信部たるリモコン受光部７ａ、リモコンインターフェース７ｂを介して表示コンテンツの作成や変更、あるいは表示スケジュールデータの設定やその他各種データ設定の操作をすることができる。８は音声出力部たるブザーで、リモコン７から送信された信号をリモコン受光部７ａで受信する都度受信確認音を発生する。ブザー音は複数種類の発生パターンを備えており、リモコン７から行う入力操作が、表示装置側における入力データとして有効か無効かに応じて発生パターンを切り替えるようにしている。ここで、表示装置に対して有効な入力データとは、入力する内容に矛盾や誤りがないことを意味する。反対に、無効な入力データとは、例えば発光輝度を設定する場合の数値を選択する画面で、方向キーを操作すべきところに文字入力キーを操作した等の誤った操作を意味する。９はメモリーカードで、ＰＣカードインターフェース９ａを介して着脱され、外部のパソコン等で作成した表示コンテンツや表示スケジュール、各種データをメモリ４に転送するための記憶媒体として用いられる。
【００２３】
次に図２を基にしてリモコン７に配列される操作キーについて説明する。リモコン７の操作部には、表示装置の電源を入／切する電源キー２０と、各種データ設定を行うメニューキー２１と、設定に関するカーソル位置を指定するための方向キー２２と、設定の切り替えを行う○／×キー２３と、数字・アルファベット・かなを入力するテンキー２４と、選択した項目の決定を行う決定キー２５と、選択した項目のキャンセルを行うキャンセルキー２６と、表示部１で現在表示中のコンテンツに関する表示モードや表示スケジュールの設定画面を直接呼び出す識別コード設定キー２７とをそれぞれ配置している。
【００２４】
次に、リモコン７を用いて新規に表示コンテンツを作成する操作の流れについて図３を基に説明する。表示部１で通常の表示動作が行われている状態において、現在表示中のコンテンツとは別のこれから新たに作成する表示コンテンツに与える識別コード（００１）をテンキー２４で入力すると、データ入力画面が現れる（ａ）。この画面ではカーソルの点滅位置に文字・数字・記号等を入力することが可能で、テンキー２４から所望の内容を入力する（ｂ）。１行分（本実施例では３文字）の表示データを入力した時点でメニューキー２１の表示動作キーを押すと、入力した１行分のデータについての表示モード入力画面が現れる（ｃ）。この画面からは表示動作と、表示輝度を入力することが可能で、方向キー２２・テンキー２４を操作して表示動作の種類（ここでは「スクロール」）、動作パラメーター（ここでは「速度１」「時間０」）、表示輝度（ここでは「輝度５０％」）をそれぞれ入力する（ｄ）。なお画面（ｃ）（ｄ）の状態において、表示モードを与える対象を各行とするか、あるいは全行とするかを選択することができ、「全行」を選択すればこれから入力する複数行のデータ全体（識別コード００１が付与される表示コンテンツ全体）に対して１つの表示動作を与えることができる。ここでは「各行」を選択しており、決定キー２５を押すことでここまで入力した１行分のデータを確定することができる。このとき、１行分のデータを確定すると共に、識別コード００１を与えた表示コンテンツの作成を保存して終了するかの選択画面が現れるので（ｅ）、終了するのであれば決定キー２５を押し、継続するのであればメニューキー２１の次画面キーを押す。ここでは引き続き作成を続けるので次画面キーを押し、２行目のデータ入力画面に移る（ｆ）。１行目の入力と同様の操作で所望行数分のデータを作成したら（ここでは最終的に「ランチ」と「タイム」の２行データ）、識別コード００１としてデータを保存して終了する（ｇ）。
【００２５】
以上、図３に示した表示コンテンツ作成操作の流れについて説明したが、上記手順の中でリモコン７のキー操作が行われると、制御部たるＣＰＵ３は表示コンテンツ作成と並行して次の動作を実行する。すなわち、表示コンテンツ作成の過程で行われるキー操作が有効か無効かを判断し、有効であればブザー８から受信確認音「ピッ」を発生し、無効で有れば受信確認音「ピピッ」を発生させる。もちろんこの受信確認音はデータ記憶部４ｄに記憶されている設定内容に準じて発生するものであり、もし設定が「受信確認音　オン」「受信確認ランプ　オン」であれば、受信確認音の発生と並行してインジケーターランプを兼ねる表示部１の一部のＬＥＤ１ａを発光させ、「受信確認音　オフ」「受信確認ランプ　オン」であれば、受信確認音は発生させずインジケーターランプ１ａのみを発光させるのである。なお、インジケーターランプ１ａの発光態様にも発光色や点滅回数の違いなど複数のパターンがあり、有効なキー操作の時には１回点滅、無効なキー操作の時には２回点滅するなどし、誤ったキー操作があったときには直ちに気付くよう配慮している。
【００２６】
次に、有効なキー操作と無効なキー操作の判別方法について説明する。本実施例では、リモコン操作に応じて現れる各画面ごとに有効なキー操作を予め定め、定めた範囲に含まれないキー操作があったときに無効なキー操作であると判断している。例えば、図３に示す画面（ａ）では、有効なキー操作として「テンキー２４」「方向キー２２」「キャンセルキー２６」が定められており、この範囲内のキー操作があったときにはキー操作ごとに受信確認音「ピッ」を発しながら（受信確認ランプの設定はオフとして説明する）カーソルが移動し、画面上のカーソル位置にデータが入力される。一方、○／×キー２３など前記範囲外のキー操作があったときには、カーソル位置はそのままであり新たにデータも入力されないため、見かけ上画面に変化はなく受信確認音「ピピッ」のみが発せられる。また、画面（ｅ）の場合であれば、「決定キー２５」「メニュー２１の次画面キー」「キャンセルキー２６」が有効なキー操作として定められており、同様に機能するのである。なお、有効あるいは無効なキー操作が画面に定められているのは図３のコンテンツ作成操作に限るものではなく、リモコン操作に応じて表示され得る全ての画面について有効なキー操作あるいは無効なキー操作が定められており、リモコンからの信号を受信できないケースを除いて「ピッ」あるいは「ピピッ」いずれかの受信確認音を発生させることができるようにしている。
【００２７】
本発明は以上のように構成される。しかしながら上記実施例に限定されるものではなく、特許請求の範囲を逸脱しない範囲で他にも実施が可能であることはいうまでもない。例えば、受信確認音は「ピッ」「ピピッ」以外の発生パターンでも良く、あるいは音量を切り替えて状態を区別するようにしても良い。また、受信確認ランプの発光態様についても「１回点滅」「２回点滅」に限るものではなく、発光色や発光輝度を切り替えるようにしても良い。また、受信確認ランプとしてのインジケーターランプは、表示部にマトリクス配列する発光素子とは全く別に、筐体の周縁部等へ独立したインジケーターランプとして設けても良い。
【００２８】
【発明の効果】
以上のように本発明によれば、表示装置に向かってリモコン操作を行った際に、リモコンから送られた操作信号が表示装置で受信されているかを容易に判断することができる。また、表示装置で受信したリモコンからの信号が、リモコン操作として有効であるか無効であるかを区別して音あるいは光で知らせるので、リモコンから入力操作を行っているにも関わらず表示装置の画面が変化しないような場合でも、受信状態が不安定なのか、あるいは受信状態は良好であるが入力操作そのものが無効であったのかを判断することができる。また、リモコン操作に対する表示装置の反応を表示部に配列する発光素子あるいはインジケーターランプによる発光で知らせるので、表示装置を高い位置に設置した場合や、周囲が騒々しい場所に設置した場合でも受信状態を確実に伝えることができる。さらに、リモコンからキー操作を行うたびに表示装置から発生する受信確認音が憚られるような場所では、受信確認音をオフにして受信確認ランプだけによる報知に切り替えることができ、設置状況に応じて好適な対応が可能になる。
【図面の簡単な説明】
【図１】本発明実施例に関わる表示装置の構成を示すブロック図である。
【図２】ワイヤレス入力装置たるリモコンのキー配列を示す説明図である。
【図３】表示コンテンツを作成する際の操作手順を示す説明図である。
【符号の説明】
１　表示部
１ａ　受信確認ランプ（インジケーターランプ）
２　表示駆動部
３　制御部たるＣＰＵ
４　メモリ
４ａ　ＲＯＭ
４ｂ　フォントＲＯＭ
４ｃ　表示コンテンツ記憶部
４ｄ　データ記憶部
５　ＶＲＡＭ
７　ワイヤレス入力装置たるリモコン
７ａ　受信部たるリモコン受光部
８　音声出力部たるブザー
【図１】
2004029589.tif 000003
【図２】
2004029589.tif 000004
【図３】
2004029589.tif 000005